(57)【要約】      （修正有）【課題】複数のＶ型帯筋を束状に構成して一体化することにより現場での施工性を向上させることができ、間隔維持が容易であり、補強性能が向上したＶ型帯筋組立体を提供する。【解決手段】中央に形成される折曲部１１０と、折曲部の両側に延長されるアンカー部１２０とから構成されるＶ型帯筋１００が複数備えられ、異なる高さになるように間隔をおいて配置され、Ｖ型帯筋を全て連結する垂直方向の支持棒２００により一体に結合される。【選択図】図１
2020148086.tif 000002
【特許請求の範囲】
【請求項１】
垂直方向の主筋１と、主筋１の外周を覆う形態のフープ筋２とが設置される箇所に、補助帯筋の用途で適用されるＶ型帯筋組立体において、
中央に形成される折曲部１１０と、折曲部１１０の両側に延長されるアンカー部１２０とから構成されるＶ型帯筋１００が複数備えられ、異なる高さになるように間隔をおいて配置され、前記Ｖ型帯筋１００を全て連結する垂直方向の支持棒２００により一体に結合される形態であり、
前記支持棒２００は、Ｖ型帯筋１００の折曲部１１０の外側に結合され、
前記支持棒２００には、「∩」字状の一対の鉤部が両側にそれぞれ形成される鉤部２４０が一体に固定され、前記鉤部２４０がフープ筋２の内側と外側を支持する
ことを特徴とするＶ型帯筋組立体。
【請求項２】
前記Ｖ型帯筋１００に結合され、折曲部１１０内側に位置する主筋１との結合力を向上させる固定クリップ３００を含む
請求項１に記載のＶ型帯筋組立体。
【請求項３】
前記固定クリップ３００は、
Ｖ型帯筋１００のアンカー部１２０が両方の内側にそれぞれ装着されるように円弧状に折り曲げられる弧形支持部３１０と、
Ｖ型帯筋１００が内側に引き込まれるように前記弧形支持部３１０の下部に一定の幅で広がり、弧形支持部３１０の間隔より狭い幅に形成される引込案内部３２０と、
両側に弾性変形するように前記弧形支持部３１０の上部中央で折曲形成される弾性作動部３３０とから構成される
請求項２に記載のＶ型帯筋組立体。
【発明の詳細な説明】
【技術分野】
【０００１】
本発明は、Ｖ型帯筋組立体に関し、特に複数のＶ型帯筋を束状に構成して一体化することにより現場での施工性を向上させることができ、間隔維持が容易であり、補強性能が向上したＶ型帯筋組立体に関する。
【背景技術】
【０００２】
帯筋とは、主筋を囲む鉄筋又は鉄線のフープ（Hoop）であって、円形、四角形又は多角形状に連続して巻かれる鉄筋又は鉄線を意味し、コンクリート柱の垂直な主筋を補強し、座屈［柱構造物に生じる垂直応力の限界点で横方向に折れ曲がる現象］を防止する役割を果たすものである。
【０００３】
また、一般に帯筋は各垂直鉄筋を全て覆うように配置されるが、前記垂直鉄筋の配置間隔が大きい場合や、主筋の数が多い柱の場合は、その内部に様々な形状の補助帯筋が追加設置される。従来の補助帯筋は、クロスタイという、一端部が９０度、他端部が１３５度の折曲角を有し、両側に主筋が設置されて主筋の座屈を防止し、圧縮材の横拘束効果を増大させる役割を果たしていた。
【０００４】
特に、Ｖ型（又はＵ型）帯筋は、従来のクロスタイ（補助帯筋）を代替する役割を果たすものであり、従来のクロスタイの設置の欠点と、設置後に繰り返し横力を受けて９０度のフック部分が解けるという欠点を補完するための構成である。
【０００５】
このようなＶ型帯筋は、一つ一つ個別に設置されるため作業時間が長くなるので、施工性を向上させる構造改善が求められている。
【０００６】
従来のＶ型帯筋に関連する先行技術として、特許文献１（耐震設計用Ｖ型帯筋を用いた柱補強構造及びその施工方法）には、コンクリートの内部に鉄筋が配筋される既存の柱と、前記既存の柱の外部に垂直方向に配筋される複数の補強主筋と、前記複数の補強主筋の外部を覆うように配筋される補強帯筋と、折曲部の両側に装着部が備えられるＶ字状であり、装着部の端部に上方又は下方に折り曲げられて既存の柱の外周面に密着する延長装着部が一体に備えられ、折曲部の内側が補強主筋の外側に密着し、装着部が既存の柱側を向くように前記補強主筋に結合されるＶ型帯筋と、前記補強主筋及びＶ型帯筋が内部に埋め込まれるように既存の柱の外部に打設される増打コンクリートとを含む技術が開示されている。
【０００７】
しかし、上記先行技術は、コンクリート増打による柱補強時に既存の柱の外部に補強主筋と共に補強帯筋とＶ型帯筋を配筋する技術であり、Ｖ型帯筋の施工利便性を向上させようという技術的示唆が全くない。
【先行技術文献】
【特許文献】
【０００８】
【特許文献１】韓国登録特許第１０−１９１３８１８号公報
【発明の概要】
【発明が解決しようとする課題】
【０００９】
本発明は、上記問題を解決するためになされたものであり、１つの媒体により複数のＶ型帯筋が束状に結合される組立体を構成するので、現場での施工性を大幅に向上させることができると共に、Ｖ型帯筋の間隔を効果的に維持することができ、補強効果を向上させるので、コンクリート打設過程における衝撃による変形を最小限に抑えることのできるＶ型帯筋組立体を提供することを目的とする。
【課題を解決するための手段】
【００１０】
本発明は、中央に形成される折曲部と、折曲部の両側に延長されるアンカー部とから構成されるＶ型帯筋が複数備えられ、異なる高さになるように間隔をおいて配置され、前記Ｖ型帯筋を全て連結する垂直方向の支持棒により一体に結合される形態であることを特徴とする。
【００１１】
また、前記支持棒は、Ｖ型帯筋の折曲部の外側に結合されることを特徴とする。
【００１２】
さらに、前記支持棒には、「∩」字状の鉤部がさらに形成されることを特徴とする。
【００１３】
さらに、前記Ｖ型帯筋に結合され、折曲部の内側に位置する主筋との結合力を向上させる固定クリップをさらに含むことを特徴とする。
【００１４】
さらに、前記固定クリップは、Ｖ型帯筋のアンカー部が両方の内側にそれぞれ装着されるように円弧状に折り曲げられる弧形支持部と、Ｖ型帯筋が内側に引き込まれるように前記弧形支持部の下部に一定の幅で広がり、弧形支持部の間隔より狭い幅に形成される引込案内部と、両側に弾性変形するように前記弧形支持部の上部中央で折曲形成される弾性作動部とから構成されることを特徴とする。
【発明の効果】
【００１５】
本発明は、支持棒に束状のＶ型帯筋が一体に結合される組立体を提供するので、１つの主筋に複数のＶ型帯筋を同時に設置することができ、個別に設置する従来のものに比べて施工性を大幅に向上させることができるという効果がある。
【００１６】
また、本発明は、Ｖ型帯筋の間隔を効果的に維持することができ、補強効果を向上させるので、コンクリート打設過程における衝撃による変形を最小限に抑えることができるという効果がある。
【図面の簡単な説明】
【００１７】
【図１】本発明のＶ型帯筋組立体を示す斜視図である。
【図２】本発明のＶ型帯筋組立体が主筋及びフープ筋に結合される例を示す斜視図である。
【図３】本発明のＶ型帯筋組立体が主筋及びフープ筋に結合される例を示す側面図である。
【図４】本発明のＶ型帯筋の形状及び支持棒の数に応じた（ア）、（イ）、（ウ）、（エ）の実施形態を示す図である。
【図５】本発明の支持棒が波形の形態に形成される実施形態を示す図である。
【図６】本発明の支持棒に「∩」字状の鉤部がさらに形成される他の実施形態を示す図である。
【図７】図６の実施形態において鉤部をフープ筋に取り付けた状態を示す拡大斜視図である。
【図８】本発明のＶ型帯筋に固定クリップがさらに結合される実施形態を示す図である。
【図９】本発明のＶ型帯筋に固定クリップがさらに結合される実施形態を示す図である。
【図１０】本発明の固定クリップの各構成を示す図である。
【図１１】本発明のＶ型帯筋に回動防止棒がさらに結合される実施形態を示す図である。
【図１２】本発明のＶ型帯筋に回動防止棒がさらに結合される実施形態を示す図である。
【発明を実施するための形態】
【００１８】
以下、添付図面を参照して本発明の好ましい実施形態について詳細に説明する。また、本発明について説明するにあたり、関連する公知の機能又は構成についての具体的な説明が本発明の要旨を不明にすると判断される場合はその詳細な説明を省略する。
【００１９】
従来の帯筋は主筋に個別に結合されるため、作業時間が長く、施工効率が著しく低下していたので、本発明のＶ型帯筋組立体によりこれらを解決すべく本発明がなされた。
【００２０】
本発明のＶ型帯筋組立体は、図１に示すように、中央に形成される折曲部１１０と、折曲部１１０の両側に延長されるアンカー部１２０とから構成されるＶ型帯筋１００が複数備えられ、異なる高さになるように間隔をおいて配置され、Ｖ型帯筋１００を全て連結する垂直方向の支持棒２００により一体に結合される形態であることを特徴とする。
【００２１】
本発明は、図２に示すように、垂直方向の主筋１と、主筋１の外周を覆う形態のフープ筋２とが設置される箇所に、補助帯筋の用途で適用される技術である。すなわち、本発明は、垂直に形成される支持棒２００に複数のＶ型帯筋１００が一体に結合されるので、図２又は図３に示すように、１つの主筋１に複数のＶ型帯筋１００を同時に設置することができ、従来のものに比べて施工性を大幅に向上させることができるという利点がある。
【００２２】
支持棒２００は、複数のＶ型帯筋１００を連結するための媒体であり、様々な材質を用いることができるが、構成間の結合力及び耐久性を考慮して金属製のものを用いることが好ましい。また、Ｖ型帯筋１００を支持棒２００に一体に結合する方法としては、別体の結合手段（図示せず）を用いてもよく、溶接などの接合方式を用いてもよい。もし、結合手段の形態が支持棒２００内で移動できるものであれば、現場でＶ型帯筋１００の位置を直ちに調節して用いることのできる形態となる。
【００２３】
また、支持棒２００は、Ｖ型帯筋１００の折曲部１１０の外側に結合しなければならない。その理由は、折曲部１１０の内側に支持棒２００が結合される形態では、主筋１及びフープ筋２との結合時に干渉の問題が発生し、施工品質が低下するからである。
【００２４】
また、支持棒２００に結合されるＶ型帯筋１００の数は、３個〜６個であることが好ましいが、現場の条件や作業者の熟練度に応じてそれ以上にしてもよいことは言うまでもなく、Ｖ型帯筋１００の固定間隔は、等間隔でもよく、不等間隔でもよい。
【００２５】
図４は本発明のＶ型帯筋１００の形状及び支持棒２００の数に応じた実施形態を示す図であるが、これらはＶ型帯筋１００の形状を限定するものではなく、様々な形態に自在に変更できることは言うまでもない。また、支持棒２００の数が複数であれば、さらに強固な結合構造となる。
【００２６】
本発明の支持棒２００には、図５に示すように、外向き屈曲部２１０、内向き屈曲部２２０が波形の形態に繰り返し形成されてもよい。このように構成されると、同図のように、Ｖ型帯筋１００は外向き屈曲部２１０に結合されてフープ筋２に安定して密着し、内向き屈曲部２２０は主筋１に密着する形態となる。ここで、内向き屈曲部２２０が必要に応じて結束線２３０でさらに固定されると、結合力を一層向上させることができる。
【００２７】
図６は本発明の支持棒２００に「∩」字状の鉤部２４０がさらに形成される他の実施形態を示す図である。Ｖ型帯筋１００が結合される部分に隣接する位置に鉤部２４０が形成されるので、図７に示すように、フープ筋２の上部に安定して取り付けられて施工の利便性を向上させることができ、鉤部２４０の内側に指が入れられるようにして施工過程で取っ手の役割を果たすことができる。さらに、鉤部２４０がフープ筋２の内側と外側を支持するので、Ｖ型帯筋１００の回転を防止することができる。鉤部２４０は、一部分にのみ形成してもよいが、安定した取り付け効果を得るために、上部と下部にそれぞれ形成することが好ましい。
【００２８】
本発明は、図８及び図９に示すように、Ｖ型帯筋１００に結合され、折曲部１１０内側に位置する主筋１との結合力を向上させる固定クリップ３００をさらに含んでもよい。固定クリップ３００は、図８に示すように、主筋１を基準にＶ型帯筋１００の折曲部１１０が覆う部分の反対側に結合される構成であり、Ｖ型帯筋１００が外側に離脱することを防止するものである。
【００２９】
固定クリップ３００は、図１０に示すように、Ｖ型帯筋１００のアンカー部１２０が両方の内側にそれぞれ装着されるように円弧状に折り曲げられる弧形支持部３１０と、Ｖ型帯筋１００が内側に引き込まれるように弧形支持部３１０の下部に一定の幅で広がり、弧形支持部３１０の間隔より狭い幅に形成される引込案内部３２０と、両側に弾性変形するように弧形支持部３１０の上部中央で折曲形成される弾性作動部３３０とから構成されることを特徴とする。
【００３０】
弧形支持部３１０は、Ｖ型帯筋１００の両側のアンカー部１２０の外側を覆う形態で支持する構成であり、両側の弧形支持部３１０の間隔は、結合される部分のアンカー部１２０の間隔と同じか又はそれより狭いので、固定クリップ３００の弾性により強く密着して挟まれる。
【００３１】
また、引込案内部３２０は、弧形支持部３１０の下部に開放された形態で形成され、Ｖ型帯筋１００が内側に引き込まれるようにすると共に、弧形支持部３１０に装着されているときの離脱を防止するために、引込案内部３２０の間隔は、弧形支持部３１０の間隔より狭い幅に形成される。さらに、引込案内部３２０の下端部の外側に屈曲部が形成されるので、安定して結合される。
【００３２】
弾性作動部３３０は、両側の弧形支持部３１０間に形成され、弧形支持部３１０の間隔を変化させることのできる幅を有する構成であり、弾性作動部３３０の存在により弧形支持部３１０が弾性変形して結合が容易に行われ、弧形支持部３１０の復元張力により強い結合力が維持されるという構造的利点がある。
【００３３】
また、弾性作動部３３０は取っ手の機能も兼ねるので、固定クリップ３００をＶ型帯筋１００の上部から押圧する形態で結合する場合は、弾性作動部３３０を手で押圧することにより容易に結合することができる。弾性作動部３３０は、押圧動作がより容易になるように、９０度に曲がった形態にしてもよい。
【００３４】
また、本発明は、図１１及び図１２に示すように、Ｖ型帯筋１００に回動防止棒４００が結合されるので、Ｖ型帯筋１００の左右への回動を防止することができる。回動防止棒４００は、Ｖ型帯筋１００の上部に水平に取り付けられる水平支持部４１１、及び水平支持部４１１の両端部で下方に折り曲げられる脚部４１２から構成される回動支持棒４１０と、回動支持棒４１０が取り付けられた状態でＶ型帯筋１００に結合されて回動支持棒４１０を固定するＣ型固定クリップ部４２０とからなる。
【００３５】
以上、実施形態を挙げて本発明について説明したが、従来公知技術を援用して、本発明の技術思想の範囲内で様々に変形実施できる。
【符号の説明】
【００３６】
１  主筋
２  フープ筋
１００  Ｖ型帯筋
１１０  折曲部
１２０  アンカー部
２００  支持棒
２１０  外向き屈曲部
２２０  内向き屈曲部
２３０  結束線
２４０  鉤部
３００  固定クリップ
３１０  弧形支持部
３２０  引込案内部
３３０  弾性作動部
４００  回動防止棒
４１０  回動支持棒
４１１  水平支持部
４１２  脚部
４２０  Ｃ型固定クリップ部
【図１】
2020148086.tif 000003
【図２】
2020148086.tif 000004
【図３】
2020148086.tif 000005
【図４】
2020148086.tif 000006
【図５】
2020148086.tif 000007
【図６】
2020148086.tif 000008
【図７】
2020148086.tif 000009
【図８】
2020148086.tif 000010
【図９】
2020148086.tif 000011
【図１０】
2020148086.tif 000012
【図１１】
2020148086.tif 000013
【図１２】
2020148086.tif 000014